(57)【要約】【課題】ラッチ機構における、抽斗側係合部を筐体側係合部に係合させる付勢力を付与する弾力性部材が折損した場合に、これを簡便に補修する。【解決手段】筐体側係合部と、抽斗側係合部と、該抽斗側係合部を筐体側係合部に対し係脱可能にさせるラッチ機構とを有する家具に装着可能であって、前記抽斗側係合部が係脱方向に貫通した孔を有しており、撓みに対してバネ性を有する金属製細長部材によって形成され、平面視において略コ字状２０”の部品であって、コ字の上下辺２０Ｄ，２０Ｄ’が前記抽斗側係合部を貫通孔の内側から弾圧するように形成されているか、コ字の２つの端部からコ字の外方向に向かう端部折曲部２０Ａ，２０Ａ’を有し、コ字の上下各辺の途中にはコ字の外方向に向かう段差部２０Ｂ，２０Ｂ’を有するよう構成する。【選択図】        図５
2004225432.tif 000002
【特許請求の範囲】
【請求項１】
筐体側に設けられた筐体側係合部と、抽斗側に設けられて、抽斗収納状態において前記筐体側係合部に係合可能な抽斗側係合部と、該抽斗側係合部を筐体側係合部に対し係脱可能にさせるラッチ機構とを有する家具に装着可能であって、前記抽斗側係合部が係脱方向に貫通した孔を有しており、
撓みに対してバネ性を有する金属製細長部材によって形成され、平面視において略コ字状の部品であって、コ字の上下辺が前記抽斗側係合部を貫通孔の内側から弾圧するように形成されているか、コ字の２つの端部からコ字の外方向に向かう端部折曲部を有し、コ字の上下各辺の途中にはコ字の外方向に向かう段差部を有することを特徴とするラッチ機構の補修部品。
【請求項２】
筐体側に設けられた筐体側係合部と、抽斗側に設けられて、抽斗収納状態において前記筐体側係合部に係合可能な抽斗側係合部と、該抽斗側係合部が筐体側係合部に対し係脱可能にさせるラッチ機構とを有する家具に装着可能であり、
撓みに対してバネ性を有する金属製細長部材によって形成され、平面視において略コ字状の部品であって、コ字の上下辺が前記抽斗側係合部を挟む弾性力を有するように形成されているか、コ字の２つの端部からコ字の開口部に向かう端部折曲部を有し、コ字の上下各辺の途中にはコ字の内部に向かう段差部を有することを特徴とするラッチ機構の補修部品。
【発明の詳細な説明】
【０００１】
【発明の属する技術分野】
本発明は、キャビネット等のオフィス用家具や家庭用家具等の抽斗を筐体に対して係止させたり開放させるためのラッチ機構における補修部品に関する。
【０００２】
【従来の技術】
キャビネット等の抽斗は、収納した状態で、地震や何等かの衝撃によって筐体が揺れ、収納されている抽斗が不用意に飛び出さないように、通常、係止されている。この係止状態を維持するために弾力性部材が使用され、この弾力性部材の付勢力によって抽斗側の係合部を筐体側の係合部に係合させている。こうした弾力性部材を、合成樹脂の射出成形によって抽斗側係合部やその枢軸部と一体に成形し、コスト低減を狙ったものが多く販売されている。下記特許文献１にはそうした合成樹脂製の弾力性部材を用いたラッチ機構が開示されている。
【特許文献１】
実開昭５０−１５７３３０号公報
【０００３】
【発明が解決しようとする課題】
然しながら、抽斗の出し入れは繰り返されるものであり、こうした繰り返しによって、多数のキャビネットの中には、そうした弾力性部材が折損し、収納時に抽斗を係止できなくなる場合がある。こうした場合、弾力性部材の折損を修復するためには、抽斗側係合部や回動枢軸部と共に交換しなければならないが、通常、この係合部の回動枢軸部は、ラッチ機構の一部として、抽斗の前面部を形成している板部材で囲まれた内部空間内に取り付けられており、交換作業が非常に厄介である。
依って本発明は、ラッチ機構における、抽斗側係合部を筐体側係合部に係合させる付勢力を付与する弾力性部材が折損した場合に、これを簡便に補修できる補修部品の提供を目的とする。
【０００４】
【課題を解決するための手段】
本願出願人は、折損するのは抽斗側係合部自体ではなく、弾力性部材のみであることに着目し、ラッチ機構の簡便な補修を行える補修部品を提供する。
上記目的に鑑みて請求項１では、筐体側に設けられた筐体側係合部と、抽斗側に設けられて、抽斗収納状態において前記筐体側係合部に係合可能な抽斗側係合部と、該抽斗側係合部を筐体側係合部に対し係脱可能にさせるラッチ機構とを有する家具に装着可能であって、前記抽斗側係合部が係脱方向に貫通した孔を有しており、撓みに対してバネ性を有する金属製細長部材によって形成され、平面視において略コ字状の部品であって、コ字の上下辺が前記抽斗側係合部を貫通孔の内側から弾圧するように形成されているか、コ字の２つの端部からコ字の外方向に向かう端部折曲部を有し、コ字の上下各辺の途中にはコ字の外方向に向かう段差部を有することを特徴とするラッチ機構の補修部品を提供する。本願では、コ字状とは、開口部があってその他が囲まれている形状を表現しており、Ｃ形状等も含まれている非常に広い意味で使用しており、実施形態例を通してその広さが明らかとなる。
【０００５】
抽斗側係合部の貫通孔に、抽斗の外側方向からコ字状補修部品の奥側を差し入れて押し込み、抽斗側係合部の向こう側（抽斗側面側）に段差部を位置させる。一方、こちら側（抽斗側面から遠い側）に部品の端部折曲部が位置するか、又は上下辺の夫々が、対面する貫通孔形成壁部を内側から弾圧するため、補修部品は端部折曲部と段差部とによって抽斗側係合部を挟む形態となるか、又は弾圧力と段差部とによって抽斗側係合部に係止されて、保持される。抽斗側係合部の向こう側に位置する補修部品のコ字の奥側部位が抽斗側面に当接して、抽斗側係合部を抽斗側面から遠ざかる方向に付勢する。従って、抽斗収納位置では、抽斗側係合部は筐体側係合部に係合する。また、補修部品の付勢力に抗してラッチ機構によって係合を解除する場合、補修部品の段差部が抽斗側係合部に係止して該補修部品が抽斗側係合部から離脱することが防止される。
【０００６】
請求項２では、筐体側に設けられた筐体側係合部と、抽斗側に設けられて、抽斗収納状態において前記筐体側係合部に係合可能な抽斗側係合部と、該抽斗側係合部が筐体側係合部に対し係脱可能にさせるラッチ機構とを有する家具に装着可能であり、撓みに対してバネ性を有する金属製細長部材によって形成され、平面視において略コ字状の部品であって、コ字の上下辺が前記抽斗側係合部を挟む弾性力を有するように形成されているか、コ字の２つの端部からコ字の開口部に向かう端部折曲部を有し、コ字の上下各辺の途中にはコ字の内部に向かう段差部を有することを特徴とするラッチ機構の補修部品を提供する。
【０００７】
請求項１の場合の貫通孔内部から係止させるのと異なり、補修部品を抽斗側係合部の外側（上下）から係止、保持させる。即ち、抽斗側係合部の外側から部品のコ字の上下辺が該抽斗側係合部を弾性力を持って挟むように取り付けるか、又は抽斗側係合部のこちら側（抽斗側面から遠い側）に部品の端部折曲部が位置する。また、向こう側には段差部を位置させる。従って、この段差部と端部折曲部とによるか、又は弾性力と段差部とによって抽斗側係合部に係止されて、保持される。抽斗側係合部の向こう側に位置する補修部品のコ字の奥側部位が抽斗側面に当接して、抽斗側係合部を抽斗側面から遠ざかる方向に付勢する。従って、抽斗収納位置では、抽斗側係合部は筐体側係合部に係合する。また、補修部品の付勢力に抗してラッチ機構によって係合を解除する場合、補修部品の段差部が抽斗側係合部に係止して該補修部品が抽斗側係合部から離脱することが防止される。
【０００８】
【発明の実施の形態】
以下、本発明を添付図面に示す実施形態例に基づき、更に詳細に説明する。
図１は本発明に係る補修部品の適用対象となるキャビネットの要部斜視図であり、図２は抽斗の前部の側面図であり、図３は図１と図２の筐体１０と抽斗１２の構成板部材を切断して上から内部を見た平面図である。抽斗１２には、図示しない取っ手が設けられており、これに手を掛けて引くと、左右方向に延伸している延伸部材Ｒ１がその軸線回りに回動するように構成されている。その一端部（この例では右端部）は折り曲げられて上下方向に延伸する折曲部Ｒ１’が形成されている。
【０００９】
一方、抽斗の適宜位置には、抽斗の後方側に向かって突出するように抽斗側係合部Ｒ４を装着している。この抽斗側係合部は枢軸Ｒ３を枢軸として回動自在に構成され、更には、撓みに対してバネ性を有する舌状の弾力性部材Ｒ５が抽斗側係合部の根元部に一体化され、枢軸Ｒ３を枢軸として回動するように構成されている。前記枢軸Ｒ３には左右方向に延伸した係合部Ｒ２が取り付けられており、前記折曲部Ｒ１’と当接している。前記弾力性部材Ｒ５は、枢軸Ｒ３から遠い端部領域が、抽斗側面１２Ｃに当接している。従って、抽斗の取っ手を引くと、この弾力性部材の弾性力に抗して折曲部Ｒ１’が係合部Ｒ２を図３において反時計回り方向に押圧駆動させる。従って、この枢軸Ｒ３を中心とした回動により、抽斗側係合部Ｒ４も反時計方向に回転駆動される。
【００１０】
筐体１０の所定位置には、抽斗側面の方向に向かって突出した筐体側係合部１０Ｔが設けられている。抽斗収納状態では、弾力性部材Ｒ５の付勢作用によって、抽斗側係合部Ｒ４が図３に示す様にこの筐体側係合部１０Ｔに係合している。この例での抽斗側係合部Ｒ４は、図２に図示するように、上下のアーム部Ｒ４Ａ，Ｒ４Ｂと上下方向端部Ｒ４Ｃ等によって囲まれた貫通孔Ｒ４Ｋを有しており、この貫通孔内に筐体側係合部１０Ｔが侵入係合している。
【００１１】
上記説明の弾力性部材Ｒ５は、抽斗の前面部を区画形成する前面板１２Ａと後面板１２Ｂとに囲まれた内部空間から外に出て、抽斗側面１２Ｃを押圧する形態であるが、本発明は別の形態にも適用できる。即ち、図３に２点鎖線で示すが、弾力性部材Ｒ５’が前記抽斗前面部の内部空間内に配設され、その前面板１２Ａの裏面を押圧している形態等である。
【００１２】
上記抽斗側係合部Ｒ４と枢軸Ｒ３と弾力性部材Ｒ５（又はＲ５’）と係合部Ｒ２とは、合成樹脂を射出成形して一体的に低コストで製造していることが多い。然しながら、弾力性部材は繰返して大きな変形を受けるため、長い間には折損することがあり、この場合、筐体側係合部１０Ｔに対して抽斗側係合部Ｒ４を係脱させるというラッチ機構の機能が維持できない。これを、例えば図４に示す形態の補修部品２０を使用してラッチ機構の機能を回復させることができる。
【００１３】
この部品２０の平面図を図５に示す。本願に述べるコ字とは、図５の形態の場合、２点鎖線２０”で描いた形状を示している。コ字の開口部２０Ｋ側には部材の２つの端部が位置している。この場合、端部には外方向に向かって折り曲げられた端部折曲部２０Ａ，２０Ａ’を設けている。また、コ字の上下辺の途中適宜位置には、コ字の外方向に向かう段差部２０Ｂ，２０Ｂ’が設けられている。コ字の奥側部位２０Ｃは前記段差部等を連結している。
【００１４】
上記補修部品２０は、撓みに対してバネ性を有する金属の細長部材で形成している。この部材のコ字の奥側部位を、前述の抽斗側係合部Ｒ４の貫通孔Ｒ４Ｋに対して、引き出した抽斗の側面１２Ｃから遠い側（抽斗の外方向側、図３の抽斗側係合部の右側）から挿入して押し込み、段差部２０Ｂを抽斗側係合部の抽斗側面側（左側）に位置させる。そして、この場合、端部折曲部２０Ａ，２０Ａ’は抽斗側係合部の抽斗側面から遠い側に残り、部品の奥側部位２０Ｃが抽斗側面１２Ｃに対して傾斜状に当接するような寸法形態に形成している。
【００１５】
こうして、抽斗側係合部は端部折曲部と段差部とに挟まれ、補修部品２０のバネ力を、段差部２０Ｂ，２０Ｂ’を介して抽斗側係合部Ｒ４に付与しているため、抽斗収納位置では、抽斗側係合部Ｒ４は筐体側係合部１０Ｔに係合させられる。この状態を図６に示している。なお、この形態例では、抽斗側係合部Ｒ４の根元付近であって、抽斗側面１２Ｃから遠い側に溝Ｍが形成してあるため、補修部品の前記端部折曲部２０Ａ，２０Ａ’を係止でき、補修部品の位置が非常に安定する。
【００１６】
また、筐体側係合部１０Ｔは図示の如く、前側程低い傾斜面１０ＴＫを有しており、また、抽斗側係合部Ｒ４の上下方向端部Ｒ４Ｃも図６や図３に示すように、先端部が傾斜状に形成されている。従って、ラッチ機構によって抽斗側係合部と筐体側係合部との係合を解除して抽斗を引き出した後、収納する場合には、前記傾斜面がガイド作用を果たし、抽斗側係合部Ｒ４は補修部品２０の付勢力に抗しつつ一時的に筐体側係合部１０Ｔから退避しつつ、円滑に最後には係合する。
【００１７】
上記形態例での補修部品２０の上下辺の一部２０Ｄ，２０Ｄ’は、抽斗側係合部の内側（貫通孔側）から上下のアーム部Ｒ４Ａ，Ｒ４Ｂを押圧するようには形成していなかったのだが、各辺の通常時の離隔距離を大き目に設定することにより、こうした押圧作用を奏させることができる。この場合は、抽斗側係合部に対する補修部品の装着安定性が更に向上する。更には、各辺２０Ｄ，２０Ｄ’がこの押圧作用を奏する場合は、端部折曲部２０Ａ，２０Ａ’を無くすることもできる。
【００１８】
以上の説明からも分かるように、補修部品２０の形態は、上下辺２０Ｄ，２０Ｄ’に対して段差部２０Ｂが存在すればよく、段差部とその奥側部位の形状は種々考えられる。例えば、図４に２点鎖線２０ＢＣ１で示す様に、段差部の折れ戻り部が無く、そのまま矩形状に形成されたり、また、円弧状２０ＢＣ２に形成されていてもよい。
【００１９】
補修部品としては、更に、図７に平面図を示す形態も考えられる。これは以上のように、内側（貫通孔側）に挿通させて係合させることとは逆に、補修部品２０’を抽斗側係合部の外側に係合させる形態である。従って、抽斗側係合部に貫通孔は必ずしも必要とはしない。筐体側係合部との係合でも、抽斗側係合部に貫通孔がなく、単なる凹部が存在してもよい。また、筐体側係合部が凹部であれば、抽斗側係合部は凹部ではなく凸部を有すればよい。このことは、図５の部品を使用した先述の説明形態の場合にも言えることである。
【００２０】
コ字の開口部２０Ｋ側には部材の２つの端部が位置している。この場合、端部には内方向（開口部）に向かって折り曲げられた端部折曲部２０ａ，２０ａ’を設けている。また、コ字の上下辺の途中適宜位置には、コ字の内部に向かう段差部２０ｂ，２０ｂ’が設けられている。コ字の奥側部位２０ｃは前記段差部等を連結している。
【００２１】
この形態では、上下辺の一部２０ｄ，２０ｄ’を抽斗側係合部Ｒ４の上下のアーム部Ｒ４Ａ，Ｒ４Ｂの外側に装着させるために、抽斗側係合部Ｒ４の上下方向端部Ｒ４Ｃを補修部品２０’の内部空間に挿通させるようにして装着する。この場合も、段差部が抽斗側係合部の抽斗側面１２Ｃ側に位置するような寸法形態に形成している。そして、端部折曲部が抽斗側係合部の抽斗側面１２Ｃから遠い側に位置し、この端部折曲部と段差部とで抽斗側係合部を左右から挟むようにして装着する。
【００２２】
この場合に、上下辺２０ｄ，２０ｄ’が、抽斗側係合部Ｒ４の上下のアーム部Ｒ４Ａ，Ｒ４Ｂを外側から弾性力で押圧しつつ上下から挟むような寸法形態に形成されていれば更に好ましい。また、この上下押圧保持の場合は、端部折曲部は無くてもよい。その他、図４の２点鎖線で説明した事項は、これらの形態にも当てはまる。
夫々の所で述べた変形形態は、互いに矛盾の無い限り、他の形態においても適用できる。
【００２３】
【発明の効果】
以上の説明から明らかなように本発明によれば、ラッチ機構における、抽斗側係合部を筐体側係合部に係合させる付勢力を付与する弾力性部材が折損した場合に、その部材に代わって、抽斗を分解することなく外部から簡便に装着して補修できる補修部品の提供が可能となる。
【図面の簡単な説明】
【図１】図１は、本発明に係る補修部品の適用対象となるキャビネットの要部斜視図である。
【図２】図２は、抽斗の前部の側面図である。
【図３】図３は、図１と図２の筐体と抽斗の構成板部材を切断して上から内部を見た平面図である。
【図４】図４は、本発明に係る補修部品の斜視図である。
【図５】図５は、図４の部品の平面図である。
【図６】図６は、図４の部品を図１〜図３に示す家具に適用した図３に代わる図である。
【図７】図７は、本発明に係る補修部品の他の形態を示す平面図である。
【符号の説明】
１０                  筐体
１０Ｔ                筐体側係合部
１２                  抽斗
２０，２０’          補修部品
２０Ａ，２０Ａ’      端部折曲部
２０Ｂ，２０Ｂ’      段差部
２０Ｋ                開口部
Ｒ４                  抽斗側係合部
【図１】
2004225432.tif 000003
【図２】
2004225432.tif 000004
【図３】
2004225432.tif 000005
【図４】
2004225432.tif 000006
【図５】
2004225432.tif 000007
【図６】
2004225432.tif 000008
【図７】
2004225432.tif 000009